(57)【特許請求の範囲】
【請求項１】
撮影レンズを用いて撮影を行う撮影部と、
前記撮影に関する設定を行う設定部と、
前記撮影部に光束を導く第１位置と、前記撮影部に光束を導かない第２位置とに移動可能な光学部材と、
撮影者の生体情報に基づいて前記撮影部により撮影を行う際に、前記光学部材を前記第１位置に移動させる制御部と
を備えたことを特徴とする撮影装置。
【請求項２】
撮影レンズを用いて撮影を行う撮影部と、
前記撮影に関する設定を行う設定部と、
前記撮影レンズの焦点検出を行う第１焦点検出装置と、
前記第１焦点検出装置とは異なる第２焦点検出装置と、
撮影者の生体情報に基づいて前記撮影部により撮影を行う際に、前記第１焦点検出装置から前記第２焦点検出装置に切替える制御部と
を備えたことを特徴とする撮影装置。
【請求項３】
撮影レンズを用いて撮影を行う撮影部と、
前記撮影に関する設定を行う設定部と、
音声を収集する音声収集装置と、
撮影者の生体情報と前記音声収集装置が収集した音声とに基づいて、前記撮影部による撮影を制御する制御部と
を備えたことを特徴とする撮影装置。
【請求項４】
撮影レンズを用いて撮影を行う撮影部と、
前記撮影に関する設定を行う設定部と、
撮影者が被写界を視認する視認装置と、
前記撮影者の生体情報に基づいて前記撮影部により撮影を行う際に、前記視認装置に水準表示を行う制御部と
を備えたことを特徴とする撮影装置。
【請求項５】
前記設定部は、静止画撮影と動画撮影を設定可能であり、
前記制御部は、前記設定部により前記静止画撮影が設定された場合でも、前記撮影者の生体情報に基づく撮影を行う際に前記動画撮影を行うことを特徴とする請求項１から４のいずれか一項に記載の撮影装置。
【請求項６】
前記制御部は、撮影した画像を記憶する記憶媒体の容量に応じて、動画撮影と静止画撮影のいずれか一方を行うことを特徴とする請求項１から４のいずれか一項に記載の撮影装置。
【請求項７】
前記制御部は、前記撮影者の生体情報に基づく動画撮影を行う際に、間欠的な撮影を行うことを特徴とする請求項１から６のいずれか一項に記載の撮影装置。
【請求項８】
前記撮影者の生体情報を検出する生体センサが前記撮影装置に設けられていることを特徴とする請求項１から７のいずれか一項に記載の撮影装置。
【請求項９】
前記制御部は、前記生体情報に応じて撮影準備を開始することを特徴とする請求項１から８のいずれか一項に記載の撮影装置。
【請求項１０】
前記撮影部への撮影を指示するスイッチを備え、
前記制御部は、前記スイッチの指示に基づく撮影の前に、前記撮影者の生体情報に基づいた撮影を行うことを特徴とする請求項１から９のいずれか一項に記載の撮影装置。
【請求項１１】
前記第１焦点検出装置は、位相差式焦点検出装置であることを特徴とする請求項２記載の撮影装置。
【請求項１２】
位置情報を取得する位置取得部を備え、
前記設定部は、前記位置取得部が取得した位置情報に基づいて、前記撮影に関する設定を行うことを特徴とする請求項１から１１のいずれか一項に記載の撮影装置。
【発明の詳細な説明】
【技術分野】
【０００１】
本発明は、生体情報を用いた撮影装置に関するものである。
【背景技術】
【０００２】
近年、撮影者の生体状況を検出して、撮影者が楽しいときには明るい画質の撮像を行なったり、悲しいときには暗めの画質の撮像を行なったりすることが提案されている。また、撮影者が静止している場合と、撮影者が走っている場合とで、撮像装置のブレ補正量を変化させることなども提案されている（例えば、特許文献１参照）。
【先行技術文献】
【特許文献】
【０００３】
【特許文献１】特開２００８−１２４８８５号公報
【発明の概要】
【発明が解決しようとする課題】
【０００４】
しかしながら、従来の撮像装置では、撮影者が通常とは異なる状態にあるときに間違いなく撮影を行うことについては提案されていなかった。
【０００５】
本発明の目的は、撮影者が通常とは異なる状態にあるときにも間違いなく撮影を行うことができる撮影装置を提供することである。
【課題を解決するための手段】
【０００６】
本発明の撮影装置は、撮影レンズを用いて撮影を行う撮影部と、前記撮影に関する設定を行う設定部と、撮影者の生体情報に基づいて前記撮影部により撮影を行う際に、前記撮影部の状態と前記設定部による設定との少なくとも一部を変更する制御部とを備えたことを特徴とする。
【発明の効果】
【０００７】
本発明によれば、撮影者が通常とは異なる状態にあるときにも間違いなく撮影を行うことができる。
【図面の簡単な説明】
【０００８】
【図１】実施の形態に係るカメラシステムの概要を示す図である。
【図２】実施の形態に係るカメラシステムを上から見た図である。
【図３】実施の形態に係る撮影レンズを左手により保持した状態を示す図である。
【図４】実施の形態に係る撮影レンズを左手により保持した状態を示す図である。
【図５】実施の形態に係るカメラ本体に設けられた生体情報検出部を示す図である。
【図６】実施の形態に係るカメラ本体に設けられた生体情報検出部の構成を示す図である。
【図７】実施の形態に係るカメラシステムのブロック図である。
【図８】実施の形態に係る撮影者の生体情報の検出及び撮影条件の設定処理を示すフローチャートである。
【発明を実施するための形態】
【０００９】
以下、図面を参照して本発明の実施の形態に係るカメラシステムについて説明する。図１は、実施の形態に係るカメラシステムの概要を示す図であり、カメラシステム１は、レンズ交換式の一眼レフカメラシステムである。
【００１０】
カメラシステム１は、カメラ本体２と、交換可能な撮影レンズ３とを有している。撮影レンズ３は、フォーカスレンズ、ズームレンズ及び防振レンズを含むレンズ群４や、絞り５、レンズ群４を駆動する不図示の駆動装置や、カメラシステム１の手振れを検出するための角速度センサ６を有している。ここで角速度センサ６は、２軸の振れを検出するジャイロセンサを有している。また、前述の不図示の駆動装置は、複数のモータ（例えば振動波モータやＶＣＭ）を有し、フォーカスレンズを光軸方向に駆動し、防振レンズを光軸方向とは異なる方向に駆動する。撮影レンズ３は、撮影レンズ３の全体を制御すると共に、カメラ本体２と協働するレンズＣＰＵ７を有している。
【００１１】
図２は、カメラシステム１を上から見た図であり、操作者の右手によりカメラ本体２を保持すると共に左手により撮影レンズ３を保持している状態を示す図である。撮影レンズ３は、図２に示すように、撮影者の左手の指または掌が触れる位置に撮影者の心拍数、血流量、血圧、発汗量、体温及び撮影レンズ３を保持する圧力などを検出するレンズ側生体センサ部８（８Ａ〜８Ｄ）（図３、４及び図７参照）を有している。このレンズ側生体センサ部８は、互いに分離した複数の電極部９（基準電極９ａ、検出電極９ｂ）と、複数の発光部１０ａ〜１０ｄと複数の受光部１１ａ〜１１ｄとを有して脈波を検出する脈波検出装置１２を有している。脈波検出装置１２は、後述するように撮影者の血流量、血圧を測定するために用いられ、図２に示すようにそれぞれの発光部１０ａ〜１０ｄと受光部１１ａ〜１１ｄとが交互に配置されている。
【００１２】
また、レンズ側生体センサ部８は、撮影者の発汗量を検出する発汗センサ１３、撮影者の体温を検出する温度センサ１４、及び撮影者が撮影レンズ３を保持する圧力を検出する圧力センサ１５を備えている（図３及び図４参照）。撮影者が撮影レンズ３を保持し、ズーム操作やマニュアルフォーカス操作を行う場合などには左手の親指が他の指とは離れてしまう。このためレンズ側生体センサ部８は、ズーム操作位置とマニュアルフォーカス操作位置との少なくとも一方の位置で、かつ、左手の親指に対応する位置と、親指以外の指に対応する位置とに離間して設けられている。より具体的には、レンズ側生体センサ部８は、ズーム操作用ゴムやフォーカス操作用ゴムが設けられた位置であって、左手に接触するように、または、左手と対向するように設けられている。
【００１３】
図３及び図４は、撮影レンズ３を左手により保持した状態を示す図であり、図３は左手の甲が下側にある状態で撮影レンズ３を保持した状態を示し、図４は左手の甲が左側にある状態で撮影レンズ３を保持した状態を示している。撮影者や撮影状態（例えば、横位置撮影や縦位置撮影）により撮影レンズ３の保持の仕方は変わるので、撮影レンズ３の円周上に複数のレンズ側生体センサ部８（８Ａ〜８Ｄ）を設けている。ここで、レンズ側生体センサ部８Ｂ〜８Ｄは、レンズ側生体センサ部８Ａと同様に、複数の電極部９、脈波検出装置１２、発汗センサ１３、湿度センサ１４及び圧力センサ１５を、それぞれ有している。このように、撮影レンズ３の円周上に複数のレンズ側生体センサ部８（８Ａ〜８Ｄ）を設けることにより左手の掌からも生体情報を検出することができる。なお、前述したように、本実施の形態では、ズーム操作位置やマニュアルフォーカス操作位置に応じて複数のレンズ側生体センサ部８（８Ａ〜８Ｄ）を設けているが、撮影者や撮影状態に応じて撮影レンズ３の保持の仕方が変った場合においても生体情報を検出できる位置であれば、複数のレンズ側生体センサを上述の位置以外の位置に設けてもよい。
【００１４】
なお、左手の親指が撮影レンズ３を保持する力はあまり大きくないので、レンズ側生体センサ部８Ｂ，８Ｃにおいては、左手の親指に対応する圧力センサ１５を省略してもよい。同様に、レンズ側生体センサ部８の検出精度を高くする必要がない場合には、左手の親指に対応する位置のセンサを適宜省略することにより、撮影レンズ３の部品点数を抑えることができる。また、レンズＣＰＵ７は、脈波検出装置１２の発光部１０ａ〜１０ｄに手指がかかっているときだけ発光するように制御してもよい。
【００１５】
図２に戻って、本実施の形態におけるカメラ本体２は、撮影者の右の手指が触れる位置に撮影者の心拍数、血流量、血圧、発汗量、体温及びカメラ本体２を保持する圧力などを検出するカメラ本体側生体センサ部１６を有している。図５に示すようにカメラ本体側生体センサ部１６は、複数の電極部９と同様の構成を有する複数の電極部１７と、脈波検出装置１２と同様の構成を有する脈波検出装置２０とを有している。即ち、図６（ａ）に示すように複数の電極部１７は、互いに分離した複数の基準電極１７ａ、検出電極１７ｂを有している。また図６（ｂ）に示すように脈波検出装置２０は、複数の発光部１８ａ〜１８ｄと複数の受光部１９ａ〜１９ｄとを有して脈波を検出する。また、カメラ本体側生体センサ部１６は、撮影者の発汗量を検出する発汗センサ２１、撮影者の体温を検出する温度センサ２２、及び撮影者がカメラ本体２を保持する圧力を検出する圧力センサ２３を備えている。
【００１６】
なお、図２からも明らかなように、撮影者がカメラ本体２を保持する場合は、右手の親指がカメラ本体２の背面に位置し、右手の人差し指がレリーズＳＷ２４の近傍に位置し、他の３本の指と離れてしまう。このためカメラ本体側生体センサ部１６は、右手の親指に対応してカメラ背面位置と、レリーズＳＷ２４の近傍と、他の３本の指がカメラ本体２を保持するカメラ前面位置とに離間して設けられている。なお、レリーズＳＷ２４に本体側生体センサ部１６を設けても構わない。ここでカメラ背面位置及びカメラ前面位置に設けられているカメラ本体側生体センサ部は、図示を省略しているがカメラ本体側生体センサ部１６と同様な構成を有する。なお、カメラ本体２においては、他の３本の指がカメラ本体２を保持するカメラ前面位置と、右手の親指に対応したカメラ背面位置との少なくとも一方がカメラ本体２を保持するための保持部ということができる。また、カメラ本体２の背面には、いくつかの操作ＳＷが設けられており、これらの操作ＳＷは右手親指で操作される。このため、本実施の形態においては、右手の親指により操作されるＳＷと、レリーズＳＷ２４、電源スイッチの少なくとも一つがカメラ本体２を操作するための操作部である。また、カメラ本体２の上面には撮影モードを設定するための撮影モードＳＷ２５が設けられている。
【００１７】
図１に戻って、カメラ本体２は、撮影レンズ３からの光束を反射して後述のファインダー光学系２６に導く位置（反射位置）と、撮影レンズ３からの光束がＣＣＤまたはＣＭＯＳなどから構成される撮像素子２７に入射するように退避する退避位置とで可動する可動ミラー２８と、可動ミラー２８の一部が半透過領域となっており、この半透過領域を透過した光束を位相差式で焦点検出を行う焦点検出センサ２９へ反射するサブミラー３０とを有している。
【００１８】
可動ミラー２８で反射された光束は、焦点板３１、ペンタプリズム３２を介してファインダー光学系２６へ導かれる。ファインダー光学系２６は、複数のレンズから構成されており、撮影者はファインダー光学系２６により被写界を確認することができる。一方、可動ミラー２８が退避位置にあるときには、撮影レンズ３からの光束は、ローパスフィルタ３３を介して撮像素子２７に入射する。ここで撮像素子２７の近傍には撮像基板３４が設けられている。
【００１９】
図７はカメラシステム１のブロック図であり、図１に加えて図７を参照して説明を続ける。撮像基板３４は、撮像素子２７を駆動する駆動回路３４Ａ、撮像素子２７の出力をデジタル信号に変換するＡ／Ｄ変換回路３４Ｂ及びＡＳＩＣで構成される画像処理制御回路３４Ｃなどを有している。この画像処理制御回路３４Ｃは、デジタル信号に変換された画像信号に対してホワイトバランス調整、シャープネス調整、ガンマ補正、階調調整などの画像処理を施すと共に、ＪＰＥＧなどの画像圧縮を行う。この画像圧縮された画像は、画像記録媒体３５に記憶されると共に、背面液晶モニタ制御回路３６の制御により、背面液晶モニタ３７に画像（ライブビュー画像）が表示される。また、背面液晶モニタ制御回路３６は、可動ミラー２８が退避位置にある場合に、ファインダー視野内に情報を表示する、図示しない表示部に画像（ライブビュー画像）を表示することも可能である。
【００２０】
また、撮像基板３４は、撮像素子２７からの信号の高周波成分を抽出して、これが最大になるフォーカスレンズ位置を検出するコントラストＡＦ回路３４Ｄを有している。コントラストＡＦ回路３４Ｄには、画像処理制御回路３４Ｃからの画像信号が入力される。コントラストＡＦ回路３４Ｄは、撮像信号からバンドパスフィルタを用いて所定の高周波成分を抽出し、ピークホールドや積分等の検波処理を行ってＡＦ評価値信号を生成しＣＰＵ４４に出力する。
【００２１】
また、前述のライブビュー画像に後述のマイク４２で収集した音声をつけて、ＭＰＥＧやＨ．２６４のなどの処理を行なうことにより動画を生成することができる。動画のフレームレートとしては例えば３０ｆｐｓを設定することができる。
【００２２】
前述したように、レンズＣＰＵ７は、角速度センサ６で検出した手振れ量をキャンセルするように、撮影レンズ３内の防振レンズを不図示の駆動装置により光軸方向とは異なる方向に駆動して手振れ補正を行っている。手振れ補正は、この光学式手振れ補正に加えて、撮像素子２７を光軸方向とは異なる方向に駆動して手振れをキャンセルするようにしてもよく、電子式振れ補正により手振れをキャンセルするようにしてもよい。この電子式振れ補正は、画像処理制御回路３４Ｃから出力された複数枚の画像間の動き（動き量）を算出し、算出した画像間の動き（動き量）をキャンセルするように画像読み出し位置を制御して画像記憶媒体３５上の画像振れを補正するものである。これら複数の手振れ補正方式の使い方については後述する。
【００２３】
カレンダー部３８は、水晶発振子や計時用集積回路を有しており、年，月，日，時，分といったカレンダー情報を自動的に計時する。ＥＥＰＲＯＭ（electrically erasable programmable read only memory：電気的に消去可能かつプログラム可能なＲＯＭ）３９は、カメラの調整値、設定値を記憶しておく記憶装置であり、ＡＦ調整データ、ＡＥ調整データ等のほかに製造時の年月日時間データなどを記憶している。また、ＥＥＰＲＯＭ３９には、人間の生体情報値が記憶されている。本実施の形態においては、ＥＥＰＲＯＭ３９は生体情報値として心拍数、血流量、血圧、体温、カメラ本体２を保持する圧力（保持力)、撮影レンズ３を保持する圧力（保持力）を記憶している。なお、生体情報は、撮影者の平常時の生体情報が予め測定され記憶されたものである。また、この生体情報値は、撮影者を特定したデータとして記憶させておいてもよい。
【００２４】
カメラ本体２は、ペンタプリズム３２の近傍に被写界の輝度を測定する測光センサ４０を有すると共に、ペンタプリズム３２の上方にＧＰＳ（Global Positioning System：全地球測位システム）モジュール４１を備えており、ＧＰＳ衛星からの信号を受信して測位情報（緯度、経度、高度）を取得する。また、カメラ本体２は、撮影レンズ３が搭載されるマウント部で撮影レンズ３と干渉しない位置に被写界の音を録音するマイク４２を備えると共に、ファインダー光学系２６の近傍にスピーカ４３を備えている。なお、レリーズＳＷ２４は、２段式のスイッチであり、撮影者がレリーズＳＷ２４を半押しした際に、レンズ側生体センサ部８及びカメラ側生体センサ部１６による撮影者の生体情報の検出を開始すると共に、撮影準備動作（例えば、オートフォーカスや測光）を行い、撮影者がレリーズＳＷ２４を全押しした際に、撮影（静止画や動画）指示を行うスイッチである。
【００２５】
本体ＣＰＵ４４は、レンズＣＰＵ７と協働して、カメラシステム１の全体を制御するものであり、本実施の形態においては、レンズ側生体センサ部８及びカメラ側生体センサ部１６の出力に基づいて撮影者の生体情報を取得して、カメラシステム１の設定や操作のアシストなどの制御を行うものである。以下、レンズ側生体センサ部８及びカメラ側生体センサ部１６の撮影者の生体情報の取得について説明を行う。
【００２６】
（心拍数測定）
前述のように、撮影者が左手で撮影レンズ３を保持する位置には複数の電極部９の基準電極９ａ及び検出電極９ｂが設けられており、撮影者が右手でカメラ本体２を保持する位置には複数の電極部１７の基準電極１７ａ及び検出電極１７ｂが設けられている。検出電極９ｂ、１７ｂからの検出電位は、不図示の差動増幅器で電位差が増幅されて本体ＣＰＵ４４へ出力される。本体ＣＰＵ４４は、検出電極９ｂ、１７ｂの電位差に基づいて、撮影者の心拍数を演算する。
【００２７】
なお、例えば撮影者が撮影レンズ３を保持していない場合には、撮影者の左手が基準電極９ａ、検出電極９ｂに触れていないので、基準電極９ａと検出電極９ｂとの間がオープンとなる。レンズＣＰＵ７は、基準電極９ａと検出電極９ｂとの間がオープンの場合には、撮影者が撮影レンズ３を保持していないと判断する。同様に、本体ＣＰＵ４４は、心拍数検出装置の基準電極１７ａと検出電極１７ｂとの間がオープンの場合には、撮影者がカメラ本体２を保持していないと判断する。
【００２８】
（血圧測定）
脈波検出装置１２，２０は、撮影者の血圧を測定するものである。なお、脈波検出装置１２と脈波検出装置２０は同様の構成を有するため、脈波測定の詳細な説明は、脈波検出装置１２についてのみ行う。脈波検出装置１２においては、複数の発光部１０ａ〜１０ｄから例えば赤外線を射出し、この赤外線が指の動脈で反射され、この反射された赤外線を赤外線センサである受光部１１ａ〜１１ｄにおいて受光して手の指部の脈波を検出する（末梢血管の血流量を検出する)。本体ＣＰＵ４４は脈波検出装置１２からの脈波に基づいて撮影者の血圧を演算する。レンズＣＰＵ７は、複数の電極部９の基準電極９ａと検出電極９ｂとの出力から撮影者のある指（例えば小指）が撮影レンズ３に触れていないと判断した場合に、小指に対応して配置された発光部の発光を禁止するようにすれば、無駄な発光を防止すると共に、被写界に迷光を射出することもない。同様に、本体ＣＰＵ４４は、複数の電極部１７の基準電極１７ａと検出電極１７ｂとの出力に基づいて、例えば撮影者の親指がカメラ本体２に触れていないときに、脈波検出装置２０の発光部１８の発光を禁止してもよい。
【００２９】
（発汗測定）
発汗は手のインピーダンスを測定することにより検出することができる。発汗センサ１３，２１は、複数の電極を有して発汗を検出するものである。なお、複数の電極の一部として基準電極９ａ、基準電極１７ａを兼用してもよい。発汗センサ１３は、レンズ側生体センサ部８Ａ〜８Ｄのそれぞれに設けられているが、感動、興奮、緊張といったような精神性発汗は、発汗量が少なく、発汗時間も短いので、指よりも発汗量が多い中手の掌側に位置するレンズ側生体センサ部８Ｂ，８Ｃだけに設けてもよい。
【００３０】
（温度測定）
温度センサ１４，２２は、熱により抵抗値が変化するサーミスタ方式を用いている。発汗には前述の精神性発汗と、体温調節のための温熱性発汗とがあり、精神性発汗と温熱性発汗とは相互干渉している。このため、本体ＣＰＵ４４は発汗センサ１３，２１の出力と、温度センサ１４，２２の出力とに基づいて撮影者の発汗が精神性発汗か温熱性発汗かを判断することができる。例えば、本体ＣＰＵ４４は、温度センサ２２により検出した温度が高く、発汗センサ２１からの発汗信号が常時検出される場合に温熱性発汗と判断することができる。また、本体ＣＰＵ４４は、発汗センサ２１からの発汗信号が不規則に出力される場合に精神性発汗と判断して、撮影者が感動、興奮、緊張といった状態であることを検出できる。なお、温度センサ１４，２２を省略した場合には、本体ＣＰＵ４４は、ＧＰＳモジュール４１の位置情報やカレンダー部３８からの日時情報などに基づいて、発汗センサ１３，２１からの発汗信号が精神性発汗か温熱性発汗かを判断してもよい。更に、レンズＣＰＵ７が発汗センサ１３の出力や温度センサ１４の出力に基づいて、左手の汗が精神性発汗か温熱性発汗かを判断するようにしてもよい。
【００３１】
（圧力測定）
圧力センサ１５は、静電容量型のセンサであり、撮影者が撮影レンズ３を保持した際の押圧力による変形量を測定するものである。本実施の形態において圧力センサ１５は、操作ゴムの下方に設けられている。圧力センサ２３も同様の静電容量型のセンサであり、撮影者がカメラ本体２を保持した際の押圧力による変形量を測定するものである。なお、圧力センサ１５，２３として歪ゲージや、電歪素子などを用いたものを適用してもよい。
【００３２】
図８は、本体ＣＰＵ４４の制御による撮影者の生体情報の検出及び撮影条件の設定処理を示すフローチャートである。なお、カメラ本体２のメインスイッチ（電源スイッチ）が入っている状態として以下説明する。
【００３３】
本体ＣＰＵ４４は、レリーズＳＷ２４が半押しされたかどうかを判断し、レリーズＳＷ２４が半押しされていればステップＳ２へ進み、レリーズＳＷ２４が半押しされていなければステップＳ１の判断を繰り返す（ステップＳ１）。本体ＣＰＵ４４は、レリーズＳＷ２４が半押しされている場合に撮影準備を開始する（ステップＳ２）。具体的には、本体ＣＰＵ４４は、焦点検出センサ２９により被写界の焦点検出を行うとともに、測光センサ４０により被写界の輝度を測定する。
【００３４】
また、本体ＣＰＵ４４は、カメラ本体２の背面に設けられた不図示の設定ＳＷによりライブビューモードが設定されている場合には、可動ミラー２８を退避位置に退避させると共に、背面液晶モニタ制御回路３６の制御により、背面液晶モニタ３７に画像（ライブビュー画像）を表示させる。なお、本体ＣＰＵ４４は、不図示の設定ＳＷによりライブビューモードが設定されていない場合には、可動ミラー２８を反射位置に位置決めしておく。本体ＣＰＵ４４は、レンズＣＰＵ７と連動してレンズ側生体センサ部８により撮影者の左手の生体情報を検出すると共に、カメラ側生体センサ部１６により撮影者の右手の生体情報を検出する（ステップＳ３）。ここで本体ＣＰＵ４４は、撮影者の心拍数、血流量、血圧、発汗状態、体温、カメラ本体２及び撮影レンズ３を保持する圧力（保持力）を検出する。なお、ステップＳ２，Ｓ３の順番は入れ替えても良いし、同時に行ってもよい。
【００３５】
本体ＣＰＵ４４は、ＥＥＰＲＯＭ３９に記憶されている生体情報値と、ステップＳ３で取得した撮影者の生体情報とを比較して生体情報が変化しているか否か、即ち撮影者が興奮状態、または疲労状態か否かを判定する（ステップＳ４）。本体ＣＰＵ４４は、ＥＥＰＲＯＭ３９に記憶されている心拍数と血圧に対して、検出した心拍数と血圧が１０％以上高くなった場合に、撮影者が興奮している可能性があるとして、発汗状態とカメラ本体２及び撮影レンズ３を保持する圧力（保持力）を参照する。
【００３６】
本体ＣＰＵ４４は、発汗センサ１３，２１からの発汗信号が不規則に出力される場合に精神性発汗と判断して、撮影者が興奮状態であると判断する。本体ＣＰＵ４４は、精神性発汗と温熱性発汗との判別ができないときには、カメラ本体２及び撮影レンズ３を保持する圧力（保持力）を参照し、いずれか一方の圧力（保持力）がＥＥＰＲＯＭ３９に記憶されている圧力よりも１０％以上高くなった場合に、撮影者が興奮していると判断する。
【００３７】
なお、発汗センサ１３，２１の出力及び圧力センサ１５，２３の出力に代えて、もしくは、発汗センサ１３，２１の出力及び圧力センサ１５，２３の出力に加えて、マイク４２の出力を参照してもよい。本体ＣＰＵ４４は、マイク４２からの出力が１０デシベル以上上昇（例えば６０デシベルから７０デシベル）したときには、撮影場所で何か起きてシャッターチャンスが近い、もしくは、撮影者の興奮が予想されると判断してもよい。
【００３８】
さらに、本体ＣＰＵ４４は、ＧＰＳモジュール４１の出力により、撮影場所が学校、競技場、結婚式場などであることを判断して、興奮の判断状態の閾値を変化させてもよい。具体的には、撮影場所が学校、競技場の場合は、声援などによりマイク４２の出力が変動しやすいので、マイク４２からの出力が２０デシベル以上上昇したときに、撮影者の興奮が予想されると判断する。撮影場所が結婚式場の場合は、司会者の発言の後にシャッターチャンスがくることが多いので、マイク４２からの出力が下がったらシャッターチャンスが近い、もしくは、撮影者の興奮が予想されると判断してもよい。
【００３９】
また、本体ＣＰＵ４４は、ＥＥＰＲＯＭ３９に記憶されている心拍数と血圧が１５％以上高くなった場合には、撮影者が興奮していると判断する。この場合には、発汗センサ１３，２１の出力及び圧力センサ１５，２３の出力は参照しなくてもよい。本体ＣＰＵ４４は、上述のようにＥＥＰＲＯＭ３９に記憶されている生体情報値と、ステップＳ３で取得した撮影者の生体情報とを比較するのに代えて、ステップＳ３で取得した撮影者の生体情報の変化率から、撮影者が興奮状態か否かを判断してもよい。具体的には、本体ＣＰＵ４４は、撮影者の心拍数と血圧とが時間経過と共に上昇したか否かに基づいて、撮影者が興奮状態か否かを判断する。また、本体ＣＰＵ４４は、撮影者の心拍数と血圧とが時間経過と共に上昇したときでも、その上昇率が１０％未満のときは、上述のように発汗センサ１３，２１の出力及び圧力センサ１５，２３の出力を参照して、撮影者が興奮状態か否かを判断する。なお、上述のように、マイク４２の出力やＧＰＳモジュール４１の出力により、撮影者が興奮状態にあるか否かを判断してもよい。
【００４０】
また、本体ＣＰＵ４４は、脈波検出装置１２，２０により検出された脈波に基づいて血流量を算出し、算出結果に基づいて撮影者の疲労度を検出する。即ち、血流量と疲労との間には相関関係が存在することから、ＥＥＰＲＯＭ３９に記憶されている撮影者の平常時の血流量と算出された血流量を比較することにより、血流量が所定の閾値以上増加している場合に撮影者が疲労状態にあると判断する。
【００４１】
本体ＣＰＵ４４は、ステップＳ４において撮影者の生体情報が変化していないと判断したときに、ステップＳ５においてレリーズＳＷ２４が全押しされているか否か判断し、全押しされている場合にステップＳ６で撮影を実行する。この撮影は、例えば、撮影モードＳＷ２５または不図示の設定ＳＷの設定に応じて静止画または動画の撮影を行うものである。静止画撮影または動画撮影の設定は、撮影モードＳＷ２５で選択するようにしてもよく、また、動画撮影専用のスイッチを設けてもよく、更に、不図示の設定ＳＷによりライブビューモードが設定された状態で前述の動画撮影スイッチを押すことにより動画撮影を開始するようにしてもよい。
【００４２】
本体ＣＰＵ４４は、ステップＳ５においてレリーズＳＷ２４が全押しされていない場合に、ステップＳ１へと戻る。一方、本体ＣＰＵ４４は、ステップＳ４において、撮影者が興奮状態、または疲労状態にあると判断した場合には、カメラ本体２の背面に設けられた不図示の設定ＳＷによりライブビューモードが設定されていない場合でも、可動ミラー２８を退避位置に移動させると共に、背面液晶モニタ制御回路３６により、背面液晶モニタ３７に画像（ライブビュー画像）を表示させる（ステップＳ７）。これは、後述するように、撮影者が興奮状態、または疲労状態にあり、通常状態とは異なるため、確実に画像を撮影するためである。また、本体ＣＰＵ４４は、可動ミラー２８が退避位置にあるため、焦点検出センサ２９に代えて撮像素子２７の出力を用いたコントラストＡＦを実施する。
【００４３】
次に、本体ＣＰＵ４４は、カメラシステム１をオート撮影モードに設定する（ステップＳ８）。具体的には、本体ＣＰＵ４４は、自動露出（ＡＥ）、オートフォーカス（ＡＦ）に設定すると共に、撮影シーンをポートレート、スポーツ、風景、夜景、夕景などから自動で設定する。この自動設定は、測光センサ４０の測光結果や、カレンダー部３８からの時間情報、ＧＰＳモジュール４１からの位置情報に基づいて設定するようにすればよい。また、本体ＣＰＵ４４は、ＩＳＯを通常よりも高感度側に設定する（例えばＩＳＯ８００以上）と共に、カメラシステム1の傾きを防止するためにファインダー内に水準器の表示を行うようにしてもよい。
【００４４】
なお、本体ＣＰＵ４４は、撮影者の興奮状態が中規模以上（例えば、レンズ側生体センサ８及びカメラ側生体センサ１６の出力が１５％以上上昇したとき）のときに、オート撮影モードに設定してもよい。なお、オート撮影モードは、そのモード自体の有効、無効を設定できるようにしてもよいし、オート撮影モードの各機能のそれぞれを有効、無効に設定できるようにしてもよい。
【００４５】
次に本体ＣＰＵ４４は、誤操作防止モードを設定する（ステップＳ９）。誤操作防止モードにおいては、撮影者が、例えば、電源スイッチ、レリーズＳＷ２４の操作、画像削除、画像記憶媒体３５のフォーマット操作等の所定の操作を行う場合に確認表示や警告表示を、ファインダー内、または背面液晶モニタ３７、またはファインダー内と背面液晶モニタ３７の両方に文字やアイコンを用いて行う。また、本体ＣＰＵ４４は、確認や警告の音声をスピーカ４３から出力するようにしてもよい。また、本体ＣＰＵ４４は、所定の操作を禁止するようにしてもよい。具体的には、本体ＣＰＵ４４は、電源スイッチのオフ、画像削除部による撮影画像の削除、画像編集部による撮影画像の編集、画像記憶媒体３５のフォーマット操作等を禁止する。なお、本体ＣＰＵ４４は、電源スイッチのオフの実行が禁止されている場合においても、電源スイッチのオフ操作が複数回行われた場合には、電源スイッチのオフを実行するようにしてもよい。また、本体ＣＰＵ４４は、画像削除部による撮影画像の削除、画像編集部による撮影画像の編集が禁止されている場合においても、操作部により画像削除部による撮影画像の削除の指示が複数回行われた場合には、画像削除部による撮影画像の削除を行うようにしてもよく、操作部により画像編集部による撮影画像の編集の指示が複数回行われた場合には、画像編集部による撮影画像の編集を行うようにしてもよい。なお、誤操作防止モードは、そのモード自体の有効、無効を設定できるようにしてもよいし、誤操作防止モードの各機能のそれぞれを有効、無効に設定できるようにしてもよい。
【００４６】
次に、本体ＣＰＵ４４は、設定されている撮影モードが静止画撮影モードであるか否かの判断を行う（ステップＳ１０）。ここで静止画撮影モードが設定されている場合には、静止画用補正モードに入る（ステップＳ１１）。一方、静止画撮影モードが設定されていない場合には、動画撮影モードが設定されているため動画用補正モードに入る（ステップＳ１２）。
【００４７】
ステップＳ１１の静止画用補正モードにおいては、撮影者が興奮状態にあると、手振れ度合いが増大するため、手振れの影響を少なくするために、露光時間が短くなるような露出制御に変更する。この場合にはカメラシステム１の露出演算プログラム線図をシャッタ秒時が高速になるように変更する。これにより図示しないシャッタの開放時間が短く制御され、撮像素子２７による撮像時間が短くなる。興奮状態においては、手振れのブレ振動特性が落ち着いた精神状態よりも、振幅はより大きく、支配的なブレ振動周波数も高めにシフトするような傾向があることから、手振れ補正も平常状態よりも、振幅が大きく周期がやや早い振動に対応する手振れ補正に適した制御パラメータを用いた制御に変更する。例えば、通常ジャイロセンサを備える角速度センサ６を用いた手振れ補正システムでは、撮像素子２７による撮像をする際に、数ヘルツ（２ヘルツ前後）付近の低周波振動を主に検出するような信号処理を施すが、この主検出周波数を、この数倍の周波数（６〜１０ヘルツ）を主に検出するように不図示のデジタル回路のデジタルフィルタのカットオフ周波数を変更する。また、生体情報の変化が大きい場合には振幅が大きくなるため、一方式の手振れ補正では手振れを補正しきれない場合がある。このため、本実施の形態においては、前述した３つの手振れ補正方式を適宜組み合わせて振幅が大きい際の手振れを補正する。具体的には、レンズＣＰＵ７が角速度センサ６の検出した手振れ量に基づいて防振レンズを駆動するとともに、本体ＣＰＵ４４が角速度センサ６の検出した手振れ量に基づいて防振レンズの駆動量では補正しきれない手振れ量を算出し、この算出した手振れ量に基づいて撮像素子２７を駆動するようにすればよい。また、撮像素子２７の駆動に代えて電子式振れ補正を行ってもよいし、３つの手振れ補正方式全てを用いてもよい。なお、カメラシステム１のバッテリー残量に応じて前述した３つの手振れ補正方式を選択するようにしてもよい。例えば、本体ＣＰＵ４４は、レンズＣＰＵ７から防振レンズの重さデータを受け取り、撮像素子２７の重さと比較し、重さの軽いものを駆動するとともに、電子式振れ補正と組み合わせるようにしてもよい。
【００４８】
本体ＣＰＵ４４は、ステップＳ１２の動画用補正モードにおいても静止画用補正モードの場合と同様に、手振れの影響を少なくするために、各フレームの露光時間が短くなるような露出制御に変更する。この場合にはカメラシステム１の露出演算プログラム線図をシャッタ秒時が高速になるように変更し、また手振れ補正を行う。また、静止画の場合よりも露光時間が長いため手振れ補正の補正追従範囲がより広いことが求められる。つまり、静止画の場合よりもぶれ振動に対して補正制御を鈍く設定し、より大きな振幅の振れを重点的に補正するよう手振れ補正パラメータを変更する。例えば、通常の動画撮影においてＮ（Ｎは正の実数） degree/secの振幅に追従していたとすると、撮影者が興奮している場合には２Ｎ〜５Ｎの振幅に追従するように、防振レンズと撮像素子２７との少なくとも一方を駆動させればよい。また、興奮の度合い（生体情報の変化の度合い）に応じて追従する振幅を２Ｎ〜５Ｎの中から選択するようにしてもよい。また、生体情報の変化の度合いに基づいて手振れの振幅が所定値を超えたものの補正を行うようにしてもよい。
【００４９】
また、本体ＣＰＵ４４は、動画駒間の構図安定性（見栄え）を考慮して、通常の動画撮影フレームレートより高速側のフレームレート（例えば通常設定されているフレームレートが３０ｆｐｓである場合に６０ｆｐｓ）に変更する。
【００５０】
さらに動画記録時は、通常画像と共に音声も同時記録するが、撮影者が興奮していると、撮影しながら大声を上げる可能性もあるため、本体ＣＰＵ４４は、通常の音声記録ゲインよりも数割程度低めに設定し、音声記録レベルの飽和（大音量入力による音割れ）を抑えるように設定する。なお、静止画用補正モード、動画用補正モードは、そのモード自体の有効、無効を設定できるようにしてもよい。
【００５１】
本体ＣＰＵ４４は、ステップＳ１３においてレリーズＳＷ２４が全押しされているか否かを判断し、全押しされている場合にステップＳ６に移行して撮影を実行する。この場合に撮影は、オート撮影モード、誤操作防止モード、静止画用補正モード及び動画用補正モードのいずれかが有効に設定されている場合には、設定されている各モードの機能を用いて行う。この場合、撮影者が興奮状態にあることを検出して事前に可動ミラー２８を退避位置に移動させているので、撮影をすばやく行なうことができるという効果がある。
【００５２】
一方、本体ＣＰＵ４４は、ステップＳ１３においてレリーズＳＷ２４が全押しされていないときに、動画撮影を行う（ステップＳ１４）。ステップＳ１４の動画撮影は、撮影者が興奮状態であっても確実に画像を撮影するためである。具体的には、本体ＣＰＵ４４は、静止画撮影モードと動画撮影モードのどちらが設定されている場合でも、例えば４秒から６秒程度の短い動画を撮影する。この際に、本体ＣＰＵ４４は、動画を撮影していることをファインダー光学系２６と背面液晶モニタ３７との少なくとも一方に表示する。これにより、撮影者は、バックアップの動画が記録されていることを認識できるので、シャッターチャンスを逃す心配を除去できる。この場合、通常の動画記録の表示と、バックアップの動画記録の表示とを異ならせることが好ましい。具体的には、バックアップの動画記録の表示は、点滅させたり、色を変えたり、表示の大きさを変えたりして、より目立つようにすればよい。
【００５３】
この撮影した動画の中から静止画を切り出せば、シャッターチャンスを逃した場合においても静止画を得ることができる。また、本体ＣＰＵ４４は画像記録媒体３５の残容量に応じて、フレームレートを設定し、また動画撮影時間を４秒から６秒の中から設定する。更に、本体ＣＰＵ４４は、画像記録媒体３５の残容量が少ない場合には、動画撮影時間を３秒以下に設定したり、静止画撮影に切換えたりすることもできる。この場合、画像記録媒体３５の残容量に応じて、静止画撮影枚数を決定したり、連写の撮影枚数を決定したりすればよい。なお、動画撮影において、音声は記録しても記録しなくてもよく、例えばフレームレートが６０ｆｐｓを超える場合には音声の記録をしなくてもよい。
【００５４】
本体ＣＰＵ４４は、ステップＳ１４において、短時間の動画撮影を行った後もレリーズＳＷ２４が半押しされているかどうか判断し（ステップＳ１５）、レリーズＳＷ２４が半押しされている場合にはステップＳ２へ戻る。ステップＳ２から再度ステップＳ１４に進んだ際には、動画を間欠的に撮像することができる。一方、本体ＣＰＵ４４は、ステップＳ１５においてレリーズＳＷ２４が半押しされていない場合には、可動ミラー２８を反射位置に戻す（ステップＳ１６）。また、撮影者が興奮または疲労している際に撮影された画像であることをタグ情報として残したり、別ホルダ（例えば興奮時撮影用ホルダ）に保存したりすれば、編集の際に撮影者が興味を持っている画像を簡単に抽出することができる。
【００５５】
なお、図８のフローチャートでは、ステップＳ１のレリーズＳＷ２４の半押しがなされてから撮影準備を開始したが、撮影者の両手がレンズ側生体センサ部８及びカメラ側生体センサ部１６のそれぞれに触れているときには、レンズ側生体センサ部８及びカメラ側生体センサ部１６の出力を検出し、撮影者の興奮状態を検出したらレリーズＳＷ２４の半押しされたのと同様に、撮影準備を開始してもよい。これにより、撮影者がレリーズＳＷ２４をいきなり全押しした場合でもピントのあった画像を記録することができる。
【００５６】
また、本実施の形態において、レンズ側生体センサ部８及びカメラ側生体センサ部１６の出力に基づいて撮影者の生体情報を取得しているが、生体情報の変化を検出することができれば、撮影者の心情変化を類推することができる。この場合には、レンズ側生体センサ部８及びカメラ側生体センサ部１６のそれぞれのセンサとしてそれほど高価なセンサを用いなくてもよい。
【００５７】
また、レンズ側生体センサ部８及びカメラ側生体センサ部１６の出力をカレンダー部３８の日時情報や、ＧＰＳモジュール４１からの測位情報と関連付けて不図示の記憶装置に記憶させておけば、日時や撮影場所に応じた撮影者の生体情報の変化を記録することができる。この場合、撮影者ごとに不図示の記憶装置に生体情報の変化を記憶させることが望ましい。
【００５８】
（補正モード）
本体ＣＰＵ４４は、カメラ本体２に設けられたＧＰＳモジュール４１やカレンダー部３８からの日時情報により、レンズ側生体センサ部８及びカメラ側生体センサ部１６で取得した値に基づく撮影者の心情判断の閾値を補正してもよい。具体的には、ＧＰＳモジュール４１の出力により撮影者が北海道にいて季節が冬であれば血圧が高めになるので、撮影者の興奮を判断する閾値を上げてもよい。
【００５９】
また、上述の実施の形態においては、オート撮影モード及び誤操作防止モードの設定を同時に行っているが、オート撮影モード及び誤操作防止モードの中の何れか一方の設定を行うようにしてもよい。
【００６０】
また、上述の実施の形態において、撮影者の疲労度を生体情報から検出する際に、カメラ２の電源を投入してからの時間、レリーズＳＷ２４の操作回数、動画撮影累積時間などを参照するようにしてもよい。この場合には、より高精度に撮影者の疲労度を検出することができる。例えば、１日の電源投入累積時間が1時間を超えた場合、レリーズＳＷ２４の操作回数が２００回を超えた場合、動画の撮影累積時間が1時間を超えた場合等に撮影者が疲労状態であると判断できる。
【００６１】
この実施の形態に係るカメラシステム１によれば、撮影者が通常とは異なる状態にあるとき、例えば撮影者が興奮しているときまたは疲労しているときにも間違いなく撮影を行うことができる。例えば、子供の運動会において親は我が子の活躍の状況によって、撮影を行いながら興奮し声援を送ることがあるが、このような場合においても的確な手振れ補正を行い間違いなく撮影を行うことができる。
【００６２】
なお、上述の実施の形態に係るカメラシステム１では、可動ミラー２８を備えたレンズ交換式の一眼レフカメラシステムを例に取って説明したが、可動ミラー２８やペンタプリズム３２などを省略したミラーレスのレンズ交換式カメラにも本実施の形態に係るレンズ側生体センサ部８及びカメラ側生体センサ部１６の出力を用いた撮影アシスト機能を採用することができる。この場合、可動ミラー２８を備えていないので、図８に示すフローチャートのステップＳ７とステップＳ１６を省略することができる。また、可動ミラー２８を備えていないので、焦点検出センサ２９にも被写界からの光束が到達しない。このため、焦点検出センサ２９に代えて撮像素子２７によるコントラストＡＦにより焦点検出を行えばよい。なお、特開２００７−２３３０３２号（米国公開２００７０２０６９３７号）には、撮像素子にＡＦ検出用の画素を設けて位相差式ＡＦを行う撮像素子ＡＦが提案されている。従ってミラーレスのレンズ交換式カメラにおいてこの撮像素子ＡＦを採用することにより、コントラストＡＦと位相差式ＡＦとを併用してもよい。
【００６３】
また、ビデオカメラに本実施の形態に係るカメラ側生体センサ部１６の出力を用いた制御を採用することができる。
【００６４】
また、上述の実施の形態では、レンズ側生体センサ部８及びカメラ側生体センサ部１６を用いて撮影者の両手からの生体情報を検出したが、例えば、発汗センサ１３，２１、温度センサ１４，２２、圧力センサ１５，２３は片手からの検出結果でも構わない。他のセンサにおいても検出方法に応じて片手からでも検出できるようになれば、片手からの検出結果でも構わない。
【００６５】
更に、レンズ側生体センサ部８及びカメラ側生体センサ部１６に代えて、ウエアラブル型の生体センサを用いてもよい。もしくは、レンズ側生体センサ部８及びカメラ側生体センサ部１７と、ウエアラブル型の生体センサとを協働して使用するようにしてもよい。ウエアラブル型の生体センサとしては、腕時計型の生体センサや指輪型の生体センサなどを用いることができる。この場合、近距離通信によりウエアラブル型の生体センサの出力をカメラ本体２に送信するようにすればよい。なお、腕時計型の生体センサは、例えば、特開2005-270543号（米国特許第7538890号）に詳細が開示されている。
【００６６】
また、上述の実施の形態では、生体情報に基づいて撮影者が興奮状態にあるか否かの判断を行っているが、撮影者の生体情報に基づいて撮影者の興奮状態のレベルを判別し、興奮のレベルにより、静止画用補正モード及び動画用補正モードにおける制御を異ならせるようにしてもよい。また、生体情報に基づいて撮影者がイライラしていると判断した場合に上述の手振れ補正を行うようにしてもよい。
【符号の説明】
【００６７】
１…カメラシステム、２…カメラ本体、３…撮影レンズ、８（８Ａ〜８Ｄ）…レンズ側生体センサ部、１６…カメラ側生体センサ部、２６…ファインダー光学系、２７…撮像素子、２８…可動ミラー、３８…カレンダー部、４１…ＧＰＳモジュール、４２…マイク
【図１】
0005597991.tif 000002
【図２】
0005597991.tif 000003
【図３】
0005597991.tif 000004
【図４】
0005597991.tif 000005
【図５】
0005597991.tif 000006
【図６】
0005597991.tif 000007
【図７】
0005597991.tif 000008
【図８】
0005597991.tif 000009